(57)【要約】【課題】  レシーバで受信した信号中の著作権保護情報とウォータマーク中の記録制限情報とにより復号データの再生出力を禁止することで、不正コピーされた受信信号の復号データの再生出力を防止する情報再生装置を提供する。【解決手段】  入力されたＤＴＬＡ方式による信号は、ＩＥＥＥ１３９４レシーバ８１により受信及び復調され、復調信号はＭＰＥＧデコーダ８３において復号が行われる一方、復調信号の一部はＥＭＩ検出回路８２に供給されて前記ＥＭＩが検出される。ＭＰＥＧデコーダ８３で復号されたデータは、ウォータマーク検出回路８４に供給されてウォータマーク（ＷＭ）が検出される。これら検出された信号は、出力判定回路８５に供給され復号データの再生出力を制御するようにしている。【選択図】  図１４
2006087096.tif 000002
【特許請求の範囲】
【請求項１】
コピーフリー、コピー禁止及び１回コピー可のいずれかの状態を示す記録制限情報を含むウォータマークが挿入されており、かつ、映像情報をエンコードして得られたディジタルデータに、コピーフリー、コピー禁止及び１回コピー可のいずれかの状態を示す著作権保護情報が付加されたディジタル信号をディジタルインタフェースを通して受信するレシーバと、
前記レシーバにより受信されたディジタル信号中から前記著作権保護情報を検出する第１の検出回路と、
前記レシーバにより受信されたディジタル信号を復号するデコーダと、
前記デコーダにより得られる復号データ中から前記ウォータマークを検出する第２の検出回路と、
前記第２の検出回路により検出された前記ウォータマーク中の前記記録制限情報の値と、前記第１の検出回路により検出された前記著作権保護情報の値とを比較し、その比較結果に応じて前記デコーダからの復号データを再生出力するか、前記復号データの再生出力を禁止する制御回路と
を有することを特徴とする情報再生装置。
【請求項２】
前記制御回路は、前記第２の検出回路により検出された前記ウォータマーク中の前記記録制限情報がコピー禁止の値であるときは、前記第１の検出回路により検出された前記著作権保護情報が前記コピー禁止を示す値のときに前記デコーダからの復号データを再生出力し、前記著作権保護情報が前記コピー禁止以外の値のときは、前記復号データの再生出力を禁止し、前記第２の検出回路により検出された前記ウォータマーク中の前記記録制限情報が１回コピー可を示す値であるときは、前記第１の検出回路により検出された前記著作権保護情報が前記コピーフリーを示す値のときに前記デコーダからの復号データの再生出力を禁止し、前記著作権保護情報が前記コピーフリー以外の値のときは、前記復号データの再生出力を禁止することを特徴とする請求項１記載の情報再生装置。
【発明の詳細な説明】
【技術分野】
【０００１】
本発明は情報再生装置に係り、特に記録媒体にパケット化して記録されたディジタル映像情報の不正コピーを防止するための情報再生装置に関する。
【背景技術】
【０００２】
情報が記録されている記録済みの記録媒体から、別の記録媒体に不正にコピーすることによる著作権の侵害の防止のためのコピーガード技術として、ディジタル・オーディオ・テープレコーダ（ＤＡＴ）等のディジタルコピーが可能な機器では、１回だけのコピーを許容するシリアル・コピー・マネージメント・システム（ＳＣＭＳ）が知られている。このＳＣＭＳでは、ディジタル音声インタフェース信号に含まれているコピー禁止／許可フラグを用いてコピーの制御を行う。
【０００３】
また、映像信号が記録されている記録媒体から他の記録媒体へのコピー制御方式として、コピー・ジェネレーション・マネージメント・システム（ＣＧＭＳ）が知られている。このＣＧＭＳは、図１５に示すように、２ビットのコピー世代コントロール信号を受け渡すようにしたもので、２ビットの値が"００"であれば、コピー記録を許容し、"１０"であれば１回だけのコピーを許容し、"１１"であればコピーを禁止するように、記録装置を構成する方式であり、値が"１０"であるときは、値を"１１"に変更して記録する。
【０００４】
また、ＶＴＲやＤＶＤの分野では、個々の機器が固有のＩＤを持ち、記録時にＩＤと乱数を使って映像信号に変形を加えると共に、垂直ブランキング期間に上記の乱数を挿入して記録し、再生時に垂直ブランキング期間から読み出した乱数とＩＤを使って復元するなど、機器の認証及びスクランブルキーの授受といった手段を講じるようにした記録再生装置も知られている（特開昭６１−２０１５８６号公報、特開平９−８３９３６号公報）。
【発明の開示】
【発明が解決しようとする課題】
【０００５】
しかしながら、ＳＣＭＳやＣＧＭＳはコピー禁止／許可フラグやコピー世代コントロール信号の再生装置からコピー記録装置への受け渡し途中にて、これら情報を改ざんされると、コピーガードが機能しないという不都合が生じる。また、ＭＰＥＧ（Moving Picture Experts Group）方式に準拠して圧縮符号化されたトランスポートストリーム（ＴＳ）中にウォータマーク（ＷＭ）を埋め込んでおき、再生時にデコードしてアナログ映像信号に復号するときにＷＭを検出し、その検出した値に応じて再生を許可するかどうか判定する方法も知られているが、前記のＣＧＭＳにおいては、コピー世代コントロール信号が元々"１１"であるソースと不正コピーをして"１１"としたソースの識別が困難であるため、たとえソースに前記ＷＭを挿入しても不正なコピーを防止しずらいという不都合が生じる。
【０００６】
更に、個々の機器の認証およびスクランブルキーの授受という手段を用いて不正コピーを防止する装置では、不正コピー防止手段が複雑であり、機器の価格が高くなると共に、送り側だけでなく、受け側の対応も必要になるといった不都合が生じる。
【０００７】
本発明は、以上の点に鑑みなされたもので、不正コピー記録した媒体の再生を防止し得る情報再生装置を提供することを目的とする。
【課題を解決するための手段】
【０００８】
本発明は、上記課題を解決するために、以下の１）及び２）に記載手段よりなる。
すなわち、
１）コピーフリー、コピー禁止及び１回コピー可のいずれかの状態を示す記録制限情報を含むウォータマークが挿入されており、かつ、映像情報をエンコードして得られたディジタルデータに、コピーフリー、コピー禁止及び１回コピー可のいずれかの状態を示す著作権保護情報が付加されたディジタル信号をディジタルインタフェースを通して受信するレシーバと、
前記レシーバにより受信されたディジタル信号中から前記著作権保護情報を検出する第１の検出回路と、
前記レシーバにより受信されたディジタル信号を復号するデコーダと、
前記デコーダにより得られる復号データ中から前記ウォータマークを検出する第２の検出回路と、
前記第２の検出回路により検出された前記ウォータマーク中の前記記録制限情報の値と、前記第１の検出回路により検出された前記著作権保護情報の値とを比較し、その比較結果に応じて前記デコーダからの復号データを再生出力するか、前記復号データの再生出力を禁止する制御回路と
を有することを特徴とする情報再生装置。
【０００９】
２）前記制御回路は、前記第２の検出回路により検出された前記ウォータマーク中の前記記録制限情報がコピー禁止の値であるときは、前記第１の検出回路により検出された前記著作権保護情報が前記コピー禁止を示す値のときに前記デコーダからの復号データを再生出力し、前記著作権保護情報が前記コピー禁止以外の値のときは、前記復号データの再生出力を禁止し、前記第２の検出回路により検出された前記ウォータマーク中の前記記録制限情報が１回コピー可を示す値であるときは、前記第１の検出回路により検出された前記著作権保護情報が前記コピーフリーを示す値のときに前記デコーダからの復号データの再生出力を禁止し、前記著作権保護情報が前記コピーフリー以外の値のときは、前記復号データの再生出力を禁止することを特徴とする１）記載の情報再生装置。
【発明の効果】
【００１０】
本発明によれば、レシーバで受信した信号中の著作権保護情報がコピー禁止で、ウォータマーク中の記録制限情報がコピー禁止を示していれば、正規の受信信号であると判断して復号データを出力するが、そうでないときには復号データの再生出力を禁止することで、不正コピーされた受信信号の復号データの再生出力を防止でき、これにより、不正コピーを防止することができる。
【発明を実施するための最良の形態】
【００１１】
本発明の実施の形態について、図面と共に説明する。図１は本発明の関連技術に適用される記録装置の第１例のブロック図を示す。同図において、画像信号及び音声信号がＭＰＥＧ２方式により圧縮符号化されてなり、かつ、情報中にウォータマーク（ＷＭ）が公知の方法で挿入されたＭＰＥＧトランスポートストリーム（ＴＳ）が端子１０を介してＤ−ＶＨＳ（登録商標）方式のエンコーダ１４に入力されると共に、メインヘッダ発生器１１により発生されたメインヘッダ情報と、パーソナルコンピュータ１２により制御されるパック情報発生器１３により発生されたパック情報とがそれぞれエンコーダ１４に入力される。
【００１２】
なお、上記のＷＭは、例えば、特開平７−２１２７１２号公報に記載されているような、いわゆる透かし模様であり、再生側で認証された透かし模様除去成分により除去される。しかし、本発明におけるＷＭはこの公報記載のものに限らず、ＷＭをそのまま再生・復号しても視覚上問題ないようにディジタルデータに挿入することで、再生側で除去しなくてもよいものも含む。いずれのＷＭも、コピーが正当であるか不正であるかに関係なく、そのまま記録される。
【００１３】
入力ＴＳ中に予め挿入されているＷＭは、通常はＣＧＭＳの２ビット情報が少なくとも書き込まれている。従って、このＷＭの上記２ビット（ＣＧＭＳビット）も、図１５に示したように、"００"のときコピーフリー、"１０"のとき一回コピー可、"１１"のときコピー禁止を示している。ここで、この第１例ではプリレコーデッド媒体（オリジナルソース）は、後述するようにオリジナルソースフラグＯＦが"１"で、メインヘッダ内のＣＧＭＳが"１１"に設定されるが、ＯＦを用いない場合は、ＷＭ中のＣＧＭＳビットを"０１"として記録されていてもよい。
【００１４】
本発明は、媒体の形態を問わないものであるが、この第１例では、Ｄ−ＶＨＳ（登録商標）システムに基づく磁気テープを例にとって説明する。Ｄ−ＶＨＳシステムは、回転体の回転面に１８０度対向して取り付けられた、互いにアジマス角度の異なる２個の回転ヘッドにより、上記回転体の外側面に約１８０度の角度範囲にわたって斜めに巻回されつつ一定速度で走行される磁気テープに、ディジタル信号を記録再生する構成のヘリカルスキャン方式磁気記録再生装置（ＶＴＲ）により、所定のパケットサイズの有効データのパケットを、付加情報と共に固定長のデータブロック単位で記録し再生するディジタルＶＴＲシステムである。
【００１５】
エンコーダ１４は、入力されたＴＳ、メインヘッダ情報及びパック情報から、上記のＤ−ＶＨＳシステムに準拠した所定フォーマットのディジタル信号を生成して、記録増幅器１５へ供給し、ここで所要レベルに増幅させた後記録機構１６により磁気テープに記録させる。記録機構１６は、上記の回転体に取り付けられた２個の回転ヘッドと、記録増幅器１５から出力されたディジタル信号を回転ヘッドに供給するロータリートランスなどからなり、回転体に巻回されつつ一定速度で走行する磁気テープに、テープ長手方向に対して傾斜した長手方向を持つディジタル信号記録トラックを順次に形成する。
【００１６】
この順次に形成されるディジタル信号記録トラックは、図２に示すように、前記データブロックに相当するシンクブロック（ＳＢ）と称される一定量のデータエリアを、回転ヘッドの走査に従って複数個配置することにより構成される。すなわち、ディジタル信号記録トラックのトラックフォーマットは、図２に示す如く、２シンクブロックのマージン領域２１、３シンクブロックのプリアンブル領域２２、４シンクブロックのサブコード領域２３、３シンクブロックのポストアンブル領域２４、３シンクブロックのＩＢＧ領域２５、１シンクブロックのプリアンブル領域２６、３３６シンクブロックのメインコード領域（データ領域）２７、２シンクブロックのポストアンブル領域２８及びマージン領域２９から構成されており、情報の記録領域として、メインコード領域２７とサブコード領域２３の２領域を有している。
【００１７】
なお、マージン領域２９は前記回転ヘッドが取り付けられた回転体が、ドラムサーボにより３０ｒｐｓ又は２９．９７ｒｐｓで回転するように制御されるので、２シンクブロック又は２．３５６シンクブロックとされ、よって１トラック全体では３５６シンクブロック又は３５６．３５６シンクブロックで構成される。いずれの場合も、サブコード領域２３は４シンクブロック、メインコード領域２７は３３６シンクブロックで固定長に設定されている。メインコード領域２７には、例えばＭＰＥＧ２のトランスポートストリームの１８８バイトの各パケットが隣接する２つのシンクブロックを単位として記録される。
【００１８】
上記の各シンクブロックのうち、メインコード領域２７におけるシンクブロックのフォーマットは、図３に示すように、そのシンクブロック再生のための２バイトの同期信号（Ｓｙｎｃ）の領域３１と、３バイトのアドレス情報（ＩＤ）の領域３２と、様々な情報を格納する２バイトのメインヘッダ格納領域３３と、１バイトのデータ予備領域（ＤＡＴＡ−ＡＵＸ）３４と、９６バイトのデータ格納領域３５と、このシンクブロックの情報の誤り訂正のための８バイトの内部パリティ格納領域３６とが時系列的に合成された全部で１１２バイトの構成である。
【００１９】
データエリア９９バイトのうち、後９６バイトが映像情報のデータ格納領域３５であり、前３バイトのメインヘッダ格納領域３３とデータ予備領域３４は、システムのための、ユーザによって書き換えできない情報記録エリアである。この第１例では、後述するように、メインヘッダ格納領域３３に、第１の著作権保護情報（後述のＯＦ及びＣＧＭＳ）を記録し、データ予備領域３４に第２の著作権保護情報Ｂ（ｘ）を記録するものである。
【００２０】
また、図２のサブコード領域２３には、図４に示すフォーマットの２８バイトのブロックが全部で１６個時系列的に合成された、４４８バイトのサブコードが格納される。このサブコードは、メインデータに付随する情報（例えば、メインデータのフォーマット情報、記録内容、記録日時等）であるが、この第１例では、このサブコード領域２３に第３の著作権保護情報Ａ（ｘ）を記録するものである。
【００２１】
図４に示す２８バイトのサブコードシンクブロックについて説明するに、そのシンクブロックの再生のための２バイトの同期信号（Ｓｙｎｃ）の領域４１と、２バイトのアドレス情報の領域４２、４３及びアドレス情報のパリティの領域４４と、１バイトのフォーマットＩＤの領域４５と、それぞれ６バイトのパックデータ格納領域４６、４７及び４８と、４バイトの内部パリティの領域４９とからなる。フォーマットＩＤは、トラックのフォーマットがノーマルモード記録によるものか別のモード記録によるものかを示す。
【００２２】
次に、第１乃至第３の著作権保護情報について更に説明する。メインコード領域２７の各シンクブロックに存在する、図３の２バイトのメインヘッダ格納領域３３は、図５に示すように、第１バイトの上位４ビットにフォーマット情報が、残りの下位４ビットと第２バイトの計１２ビットにシンクブロック情報が割り当てられている。
【００２３】
図５において、「フォーマットＩＤ」は、トラックのフォーマットがノーマルモード記録によるものか別のモード記録によるものかを示し、「アプリケーション・ディテール」は、記録ディジタル信号がパケットサイズ１８８バイトのＭＰＥＧ２トランスポートパケットであるのか、パケットサイズが１４０バイトの別の伝送方式のパケットであるのかを識別する情報であり、「時間圧縮率」は圧縮レートを示す情報である。更に、「Ｄ．Ｔ．」は、ＭＰＥＧパケットかダミーデータかトリックプレイデータかを識別させるための２ビットのデータタイプ情報であり、「Ｓ．Ｂ．Ｃ．」はパケットが隣接する２つのシンクブロックを単位として記録される場合、このメインヘッダを有するシンクブロックが隣接する２つのシンクブロックの１番目か２番目かを識別させるためのシンクブロックカウンタ情報である。
【００２４】
この第１例では、図５に示すように、１２シンクブロック単位で繰り返してメインヘッダ格納領域３３に２バイトずつ記録されるメインヘッダのうち、一周期の１１番目のシンクブロックのメインヘッダ格納領域３３に記録されるメインヘッダの上位２ビットをＣＧＭＳ規定のコピー世代コントロール信号に割り当て、かつ、一周期内の１２番目のシンクブロックのメインヘッダ格納領域３３に記録されるメインヘッダの最上位ビットをオリジナルソースフラグＯＦに割り当て、これらＣＧＭＳのコピー世代コントロール信号とオリジナルソースフラグＯＦを第１の著作権保護情報としたものである。
【００２５】
ＣＧＭＳ規定のコピー世代コントロール信号は、図１５と共に説明したように、２ビットの値が"００"であれば、コピー（ダビング記録）を許容し、"１０"であれば１回だけのコピー（ダビング記録）を許容し、"１１"であればコピー（ダビング記録）を禁止する内容である。また、１ビットのオリジナルソースフラグＯＦが"１"であるときは記録媒体がオリジナルソース、"０"であるときは記録媒体がコピーソースであることを示す。なお、オリジナルソースフラグＯＦが"１"であるときは、ＣＧＭＳは必ず"１１"とされており、ＣＧＭＳが"００"又は"１０"のときはオリジナルソースフラグＯＦが"０"とされる。
【００２６】
また、第２の著作権保護情報は、メインコード領域２７の各シンクブロックに存在する、図３の１バイトのデータ予備領域３４に記録される。このデータ予備領域３４は、図６に示すように、６シンクブロックを一周期として記録され（つまり６バイト単位で記録され）、一周期内の１番目のシンクブロックのデータ予備領域３４にはパックヘッダＰＣ０が記録され、残りの２番目から６番目の計５つのシンクブロックの各データ予備領域３４にはパック情報ＰＣ１〜ＰＣ５が記録される。
【００２７】
ここで、第１例では、図６に示したＰＣ０〜ＰＣ５の計６バイトのパック情報のうち、１番目のパックヘッダＰＣ０の１バイトをオール"１"に設定し、かつ、残りの２番目から６番目の計５バイトのパック情報ＰＣ１〜ＰＣ５として任意の値の第２の著作権保護情報Ｂ（ｘ）を記録するものである。
【００２８】
更に、第１例では、サブコード領域２３に記録される図４に示したフォーマットのサブコード信号のうち、６バイトのパックデータ領域４６〜４８のうち、１又は２以上のパックデータ領域の先頭の１バイトに著作権保護情報であることを示すオール"１"を配置し、残りの５バイトで第３の著作権保護情報Ａ（ｘ）を記録するものである。ここで、第３の著作権保護情報Ａ（ｘ）は、第２の著作権保護情報Ｂ（ｘ）と相補的な値となるように選定されており、よって、対応するビット同士を加算するとオール"１"となるように値が選定されている。なお、第２及び第３の著作権保護情報Ｂ（ｘ）及びＡ（ｘ）は、オリジナルソースフラグＯＦが"１"であるときのみ記録される。
【００２９】
図１に示したメインヘッダ発生器１１は、上記のメインヘッダ領域３３に記録される、第１の著作権保護情報を含むメインヘッダ情報を発生し、パック情報発生器１３は、上記のデータ予備領域３４及びサブコード領域２３に記録される、第２及び第３の著作権保護情報を含む６バイトのパック情報を発生する。その後、前述したように、記録機構１６により磁気テープに、図２のトラックフォーマットを形成して入力ＴＳと共に記録される。
【００３０】
上記の記録装置はメーカによるものであり、このようにして記録されたプリレコーデッドテープ（記録済み磁気テープ）のメインヘッダ格納領域３３には、前記第１の著作権保護情報であるオリジナルソースフラグＯＦが"１"であるときは、ＣＧＭＳは"１１"として記録されている。
【００３１】
この記録済み磁気テープをユーザがコピー（ダビング記録）する場合は、第１のＤ−ＶＨＳ方式ＶＴＲで記録ディジタル信号を再生し、コピーによる品質劣化を避けるためにデコードする前の再生ディジタル信号（再生ＴＳに再生ＣＧＭＳが時分割された信号）を第２のＤ−ＶＨＳ方式ＶＴＲに入力して、別の磁気テープに新たにＤ−ＶＨＳシステム準拠の図２に示したトラックフォーマットを形成してディジタル記録することとなる。
【００３２】
しかし、ユーザが使用できる第２のＤ−ＶＨＳ方式ＶＴＲでは、再生ディジタル信号中のＷＭはトランスポートストリーム（ＴＳ）に埋め込まれているのでそのままコピー記録されるが、前記メインヘッダ領域３３、データ予備領域３４及びサブコード領域２３の記録情報をそのままコピー記録できない仕様となっており、第２、第３の著作権保護情報Ｂ（ｘ）及びＡ（ｘ）は出力されないし、一般用Ｄ−ＶＨＳ方式ＶＴＲでは記録もできない。
【００３３】
ただし、メインヘッダ領域３３のコピー世代コントロール信号（ＣＧＭＳ）だけは、民生用ＶＴＲでコピー記録できるようになされているが、民生用ＶＴＲは入力されたコピー世代コントロール信号（ＣＧＭＳ）の値が"１１"であるときは記録できず、また"１０"のときには"１１"に変更して記録できるような仕様となっている。
【００３４】
従って、ユーザが上記の記録済み磁気テープを第１のＤ−ＶＨＳ方式ＶＴＲで再生し、その再生ディジタル信号を第２のＤ−ＶＨＳ方式ＶＴＲに入力してコピー記録しようとした場合は、メインヘッダ領域３３からの再生コピー世代コントロール信号（ＣＧＭＳ）の値が"１１"であるので、本来は記録自体ができず、コピー記録を防止できる。
【００３５】
しかし、再生入力コピー世代コントロール信号（ＣＧＭＳ）の値が"１１"であっても、それを"００"や"１０"に変更して記録できるようにユーザが第２のＤ−ＶＨＳ方式ＶＴＲを改造し、かつ、第２及び第３の著作権保護情報Ｂ（ｘ）及びＡ（ｘ）が解読された場合は、コピー記録できてしまう。ただし、この場合でも、コピー記録された磁気テープの記録情報を再生したときに、再生ＴＳ中に埋め込まれているＷＭ中のＣＧＭＳビットを"１１"に設定しておくことにより、後述する如く再生できないようにすることができるので、結果としてコピー記録を防止できる。
【００３６】
また、この第１例では、ＣＧＭＳの値が１回コピー可を示す"１０"である磁気テープでは、前記オリジナルソースフラグＯＦの値は"０"であり、それをコピー記録した場合はＣＧＭＳの値はコピー禁止を示す"１１"に変更して記録されるが、オリジナルソースフラグＯＦの値は"０"のまま記録される。オリジナルソースフラグＯＦは、ユーザが有する一般民生用ＶＴＲでは常に"０"を記録するようになされているからである。従って、オリジナルソースを不正にコピー記録した場合、そのコピー記録磁気テープには、オリジナルソースフラグＯＦの値は"０"で記録される。
【００３７】
一方、当初よりコピー禁止であるオリジナルソースの磁気テープでは、前述したように、ＣＧＭＳの値は"１１"で、かつ、オリジナルソースフラグＯＦの値は"１"であるから、再生しようとする磁気テープが、当初よりコピー禁止であるオリジナルソースなのか、１回コピーしたためにコピー禁止となったソースであるかが、再生されたオリジナルソースフラグＯＦ及びコピー世代コントロール信号ＣＧＭＳに基づいて、識別できる。
【００３８】
このため、当初よりコピー禁止であるオリジナルソースでは、前記著作権保護情報Ｂ（ｘ）及びＡ（ｘ）による特別のコピーガードを掛けることが可能となるばかりでなく、課金情報等の情報もソースに付随して伝送することが可能となり、個別課金が可能なシステムを構築できる。
【００３９】
図７は本発明の関連技術に適用される記録装置の第２例のブロック図を示す。同図中、図１と同一構成部分には同一符号を付し、その説明を省略する。図７において、画像信号及び音声信号がＭＰＥＧ２方式により圧縮符号化されてなり、かつ、情報中にウォータマーク（ＷＭ）が公知の方法で挿入されたＭＰＥＧトランスポートストリーム（ＴＳ）が端子１０を介して媒体認証信号付加回路１７に供給され、ここでパック情報発生器１８からの暗号化された第２の著作権保護情報が付加される。
【００４０】
一方、正規の再生装置のみが有するマスタキー（マスタ鍵）が暗号鍵としてキー暗号化回路２０に供給され、ここで端子１０を介して入力される映像情報のソース毎に定められたタイトルキーを暗号化する。暗号化されたタイトルキーは、タイトルキーを生成するための情報としてパック情報発生器１８に供給されて、演算により前記タイトルキーを復元できる特定の関係にある値にそれぞれ設定された第２の著作権保護情報Ｂ（ｘ）と第３の著作権保護情報Ａ（ｘ）を生成させる。すなわち、第２の著作権保護情報Ｂ（ｘ）と第３の著作権保護情報Ａ（ｘ）は、前記の第１例のように互いに相補的な値に必ずしもなるわけではなく、スクランブルキーとなるような特定な関係の値に設定される。
【００４１】
この暗号化された第２の著作権保護情報Ｂ（ｘ）は上記のように媒体認証信号付加回路１７に供給されて入力ＴＳに付加される。この第２の著作権保護情報Ｂ（ｘ）の入力ＴＳ中の付加位置としては、例えばＭＰＥＧ２トランスポートストリームの１８８バイトのトランスポートパケットの、アダプテーションフィールド内にあるオプショナルフィールドのプライベートデータ記録領域がある。
【００４２】
媒体認証信号付加回路１７から取り出された、第２の著作権保護情報Ｂ（ｘ）が付加されたＴＳは暗号化回路１９に供給され、ここでスクランブルキーであるタイトルキーに基づいて第２の著作権保護情報Ｂ（ｘ）を除くＴＳ部分のみが暗号化された後、エンコーダ１４にパック情報発生器１８からの第３の著作権保護情報Ａ（ｘ）を含むパック情報及びメインヘッダ発生器１１からの第１の著作権保護情報ＯＦ及びＣＧＭＳを含むメインヘッダ情報とともに入力される。
【００４３】
この第２例では、第１の著作権保護情報ＯＦ及びＣＧＭＳは第１例と同様に、図５に示したメインヘッダ領域の所定位置に記録され、またオリジナルソースフラグＯＦが"１"であるときは第３の著作権保護情報Ａ（ｘ）も第１例と同様にサブコード領域２３に記録されるが、第２の著作権保護情報Ｂ（ｘ）はＴＳ内に埋め込まれて記録されることとなる。
【００４４】
この第２例で記録したディジタル信号の再生にあたっては、正規のユーザが使用する再生装置では記録側と同一のマスタキーの格納メモリを有しており、第２の著作権保護情報Ｂ（ｘ）と第３の著作権保護情報Ａ（ｘ）とで所定の演算を行うことでタイトルキーを復元するための情報を生成し、この情報を上記のマスタキーを用いて復号することによりタイトルキーを復元し、更にこのタイトルキーを復号鍵として使用して、暗号化されている再生映像情報を復号（デスクランブル）できる。
【００４５】
従って、第２例では、第１例に比べてより一層コピーの防止ができる。なお、この第２例では、タイトルキーを暗号鍵として暗号化を行う暗号化回路１９では第２の著作権保護情報Ｂ（ｘ）の暗号化をしていないが、暗号化することも可能である。
【００４６】
このようにしてメーカにより記録された記録済み磁気テープを、ユーザがコピー記録しようとした場合は、メインヘッダ領域３３からの再生コピー世代コントロール信号（ＣＧＭＳ）の値が"１１"であるので、本来は記録自体ができず、コピー記録を防止できる。
【００４７】
しかし、入力コピー世代コントロール信号（ＣＧＭＳ）の値が"１１"であっても、それを"００"や"１０"に変更して記録できるようにユーザが第２のＤ−ＶＨＳ方式ＶＴＲを改造し、かつ、第２及び第３の著作権保護情報Ｂ（ｘ）及びＡ（ｘ）が解読された場合は、コピー記録できてしまう。ただし、この場合でも、メインヘッダ領域３３及びサブコード領域２３の記録情報をそのままコピー記録できないので、オリジナルソースフラグＯＦの値は"０"で記録され、また、第２の著作権保護情報Ｂ（ｘ）とウォータマークＷＭはＴＳ内に埋め込まれてそのまま記録されるので、ＯＦとＴＳ内のＷＭによりコピー防止は可能である。
【００４８】
次に、本発明の関連技術により記録された磁気テープの再生側の動作について図８のフローチャートと共に説明する。再生装置は、上記の第２例により記録された記録済み磁気テープから再生したディジタル信号をＤ−ＶＨＳ（登録商標）方式のデコーダで復号し（暗号の解読は正規になされており、またＡ（ｘ）とＢ（ｘ）は互いに相補的な値関係にあるものとする）、メインヘッダ領域の再生信号から図５に示した前記オリジナルソースフラグＯＦとＣＧＭＳの値を読み取り（ステップ１０１）、ＣＧＭＳの値が"１１"かどうか判定し（ステップ１０２）、"１１"であるときはオリジナルソースフラグＯＦが"１"であるかどうか判定する（ステップ１０３）。
【００４９】
ＣＧＭＳが"１１"で、かつ、ＯＦが"１"であるときは記録媒体がオリジナルソースであるので、続いてＴＳ中の所定位置から第２の著作権保護情報Ｂ（ｘ）を読み取り、また、サブコード領域２３から再生した計６バイトのパック情報のうち、パックヘッダがオール"１"であるパック情報を検出して、残りの５バイトのパック情報から第３の著作権保護情報Ａ（ｘ）を読み取る（ステップ１０４）。
【００５０】
続いて、ステップ１０３で読み取った著作権保護情報Ａ（ｘ）及びＢ（ｘ）の値が存在するかどうか判定し（ステップ１０５、１０６）、存在する場合は両著作権保護情報Ａ（ｘ）及びＢ（ｘ）を対応するビット同士で加算し、その加算値が"１"であるかどうか判定する（ステップ１０７）。前述したように、第２の著作権保護情報Ｂ（ｘ）と第３の著作権保護情報Ａ（ｘ）とは、それぞれ対応するビットの値が異なるようになされて記録されているので、正規のオリジナルソースの磁気テープの再生信号であれば、上記の加算値は"１"となるはずであるので、加算値が"１"のときは正規のオリジナルソースの再生信号であると判断してデコーダに再生を行わせ、再生出力を得る（ステップ１０８）。
【００５１】
一方、著作権保護情報Ａ（ｘ）及びＢ（ｘ）のうち、少なくとも一方の値が存在しない場合、あるいは両方の値が存在していても著作権保護情報Ａ（ｘ）及びＢ（ｘ）の対応するビット同士の加算値が"０"であるときは、オリジナルソースの磁気テープの再生信号ではないと判断して、再生出力が得られないようにする（ステップ１０９）。
【００５２】
また、ステップ１０３でオリジナルソースフラグＯＦが"０"であると判定したときは、ＣＧＭＳの値が"１１"であるにもかかわらず、改造ＶＴＲにより不正にコピー記録された可能性のある磁気テープからの再生ディジタル信号であり、オリジナルソースではない可能性があると判断して、続いて、再生ＴＳ中の所定位置から第２の著作権保護情報Ｂ（ｘ）を読み取り（ステップ１１０）、第２の著作権保護情報Ｂ（ｘ）の値が存在するかどうか判定する（ステップ１１１）。
【００５３】
前述したように、オリジナルソースを不正にコピー記録した場合、そのコピー記録磁気テープには、オリジナルソースフラグＯＦの値は"０"で記録され、また、第２の著作権保護情報Ｂ（ｘ）とウォータマークＷＭはＴＳ内に埋め込まれてそのまま記録されるので、オリジナルソースフラグＯＦの値が"０"で、かつ、第２の著作権保護情報Ｂ（ｘ）が存在するときには、不正にコピー記録した磁気テープであると判断して再生を中止する（ステップ１０９）。
【００５４】
一方、ステップ１１１で第２の著作権保護情報Ｂ（ｘ）が存在しないと判定されたときは、オリジナルソースを不正にコピー記録した磁気テープの再生信号ではなく、例えば１回コピー可の条件で記録した磁気テープの再生信号であると判断し、再生を継続し（ステップ１１２）、次フェーズ１１７のＴＳ中に埋め込まれているＷＭの判定処理を行う。すなわち、ステップ１１２で再生を継続する場合、あるいはステップ１０２でＣＧＭＳの値が"１１"以外のコピーを許容する値であると判定されたときには、再生ＴＳ中のウォータマークＷＭを読み取り（ステップ１１３）、ＷＭの読み取り値が"１１"であるかどうか判定する（ステップ１１４）。
【００５５】
ＷＭの読み取り値が"１１"であるときは本来コピー記録されるディジタル信号ではないと判断して再生を停止し（ステップ１１５）、ＷＭの読み取り値が"１１"以外の値であるときはコピー記録が許容されているディジタル信号ではあると判断して再生を行う（ステップ１１６）。
【００５６】
なお、仮にオリジナルソースから不正にコピー記録した磁気テープには、ユーザがコピーに使用したＶＴＲにはオリジナルソースからは第３の著作権保護情報Ａ（ｘ）は出力されないし、一般用のＤ−ＶＨＳ方式のＶＴＲでは記録もできない。従って、いくらコピーをしてもステップ１０５によりＡ（ｘ）が存在しないと判断されるため、再生することはできない。このように、第２例では、オリジナルソースから不正にコピー記録した磁気テープを再生しても、再生画像が得られないため、結果として不正なコピー記録を防止することができる。
【００５７】
次に、本発明の関連技術に適用される記録装置の第３例について説明する。図９は本発明の関連技術に適用される記録装置の第３例のブロック図を示す。同図中、図７と同一構成部分には同一符号を付し、その説明を省略する。図９において、端子５１を介して入力された、オリジナルソースのアナログ映像信号は、Ａ／Ｄ変換器５２に供給されてディジタル信号に変換された後、ウォータマーク付加回路５３に供給され、ここで記録制限情報を有するウォータマークが付加される。
【００５８】
ＭＰＥＧエンコーダ５４は、上記のウォータマークが付加されたディジタル信号を入力として受け、ＭＰＥＧ方式に準拠した圧縮符号化を行ってＴＳを生成して暗号化回路５５に供給し、ここでアナログ映像信号のソース毎に定められたタイトルキーを暗号鍵として暗号化される。
【００５９】
一方、パック情報発生器５６は、キー暗号化回路２０においてマスタキーを暗号鍵として暗号化されたタイトルキーが入力され、ここで演算によりタイトルキーを復元できる特定の関係にある値にそれぞれ設定された第２の著作権保護情報Ｂ（ｘ）と第３の著作権保護情報Ａ（ｘ）を生成する点は第２例のパック情報発生器１８と同様であるが、このパック情報発生器５６は、上記の２つの著作権保護情報Ｂ（ｘ）及びＡ（ｘ）の両方を含むパック情報を生成してエンコーダ１４へ出力する点が異なる。
【００６０】
エンコーダ１４は、メインヘッダ発生器１１からの第１の著作権保護情報ＯＦ及びＣＧＭＳを含むメインヘッダ情報と、パック情報発生器５６からの第１及び第２の著作権保護情報Ｂ（ｘ）及びＡ（ｘ）の両方を含むパック情報を、暗号化回路５５から入力されたＴＳと共に、Ｄ−ＶＨＳ（登録商標）方式所定のフォーマットに変換する。
【００６１】
この第３例では、第１の著作権保護情報ＯＦ及びＣＧＭＳは第１及び第２例と同様に、図５に示したメインヘッダ領域の所定位置に記録され、またオリジナルソースフラグＯＦが"１"であるときは第２の著作権保護情報Ｂ（ｘ）が図３に示したデータ予備領域３４に記録され、第３の著作権保護情報Ａ（ｘ）が第１及び第２の実施の形態と同様に、図２に示したサブコード領域２３に記録されることとなる。また、この第３例では、オリジナルソースフラグＯＦが"１"であるプリレコーデッドテープ（オリジナルソース）の記録ディジタル信号は、暗号化されて記録される点に特徴がある。従って、オリジナルソースフラグＯＦは、"１"のとき記録ディジタル信号が暗号化されており、"０"のとき暗号化されていないことを示すフラグとして再生装置で用いられる。
【００６２】
次に、この記録装置により記録されたプリレコーデッドテープ（オリジナルソース）の再生装置の構成及び動作について説明する。なお、図９の記録装置は、図１や図７に示した記録装置と同様にメーカにより使用されるものであるのに対し、再生装置はユーザにより使用されるものである。
【００６３】
図１０は図９の記録装置により記録された記録媒体を再生する、本発明の関連技術に適用される情報再生装置の第１例のブロック図を示す。図１０において、再生機構６１は前述した記録機構１６と同様の周知の構成であり、回転体の回転面に対向して取り付けられた２個の回転ヘッドと、上記の回転体に所定角度範囲にわたって巻回されつつ一定速度で走行する磁気テープ上に形成されたディジタル信号記録トラックを、上記の回転ヘッドが走査することにより得られる上記の回転ヘッドからの再生信号を次段に伝送するロータリートランスなどからなる。
【００６４】
再生機構６１により磁気テープから再生された再生信号は、ヘッドアンプ６２で前置増幅された後、再生処理回路６３で所定の再生信号処理を受けて、暗号解読回路６４、パック情報デコーダ６５及びＯＦ検出回路６７にそれぞれ供給される。パック情報デコーダ６５は、オリジナルソースのプリレコーデッドテープの入力再生信号中の所定位置に含まれている第２の著作権保護情報Ｂ（ｘ）と第３の著作権保護情報Ａ（ｘ）をデコードして再生し、これらをキー生成回路６６に供給する。
【００６５】
キー生成回路６６は、正規のユーザが使用する再生装置では記録側と同一のマスタキーを記憶しており、パック情報デコーダ６５から入力された著作権保護情報Ｂ（ｘ）及びＡ（ｘ）とで所定の演算を行うことでタイトルキーを復元するための情報を生成し、更にこの情報を上記のマスタキーを用いて復号することによりタイトルキーを復元して暗号解読回路６４に供給する。暗号解読回路６４は、入力再生信号を、キー生成回路６６から入力されるタイトルキーを復号鍵として使用して、暗号化されている再生信号を復号（デスクランブル）する。
【００６６】
暗号解読回路６４から取り出された再生信号は、正規にオリジナルソースのプリレコーデッドテープから再生された場合は、図９の暗号化回路５５の入力信号と同等の圧縮符号化データであり、ＭＰＥＧデコーダ６８に供給されて、ＭＰＥＧ方式に準拠して復号されて再生映像信号とされて再生制御回路７０に供給される。
【００６７】
また、ＭＰＥＧデコーダ６８の一部から取り出されたデコード信号は、ウォータマーク検出回路６９に供給され、ここでウォータマーク（ＷＭ）が検出され、その検出結果が再生制御回路７０に入力される。一方、これと並行して、ＯＦ検出回路６７は入力再生信号中から前記第１の著作権保護情報ＯＦを検出し、その検出結果を再生制御回路７０へ出力する。
【００６８】
再生制御回路７０は、上記の２つの検出結果を受け、図１１のフローチャートに従って、ＭＰＥＧデコーダ６８から出力された復号データを再生するか再生中止するかの制御を行う。すなわち、再生制御回路７０は、ウォータマーク検出回路６９からウォータマーク検出結果を受けたかどうか判定し（ステップ２０１）、ウォータマーク検出結果が入力された場合は、検出されたＷＭ内の記録制限情報であるＣＧＭＳの値が"１１"かどうか判定する（ステップ２０２）。
【００６９】
ステップ２０２でＣＧＭＳの値が"１１"であると判定した場合は、オリジナルソースフラグＯＦの値が"１"であるかどうか判定する（ステップ２０３）。前述したように、コピー禁止であるプリレコーデッドテープ（オリジナルソース）では、オリジナルソースフラグＯＦが"１"であり、このとき第１の著作権保護情報ＣＧＭＳとＷＭ内のＣＧＭＳは共に必ず"１１"とされている。従って、ステップ２０２でＷＭ内のＣＧＭＳの値が"１１"であり、かつ、ステップ２０３でオリジナルソースフラグＯＦが"１"であると判定されたときには、コピー禁止であるプリレコーデッドテープ（オリジナルソース）であり、それが正規に再生されたものであると判断でき、よって、この場合は再生制御回路７０は再生可と判断して、ＭＰＥＧデコーダ６８から入力された復号データをＤ／Ａ変換器７１へ出力させる（ステップ２０４）。Ｄ／Ａ変換器７１により復号データがアナログ映像信号に変換されて出力される。
【００７０】
一方、ステップ２０３でオリジナルソースフラグＯＦが"１"でない（"０"である）と判定されたときには、入力再生信号がコピーされたレコーデッドテープからの信号であると判断でき、よって、この場合は再生制御回路７０は再生不可と判断して、ＭＰＥＧデコーダ６８から入力された復号データのＤ／Ａ変換器７１への出力を禁止する（ステップ２０５）。これにより、再生映像信号が得られず、コピーを実質的に防止できる。
【００７１】
なお、仮に、著作権保護情報Ｂ（ｘ）及びＡ（ｘ）が解読されて暗号解読がなされたとしても、ステップ２０１でウォータマークを検出した検出結果が入力されない場合、あるいはステップ２０２でＷＭ内のＣＧＭＳの値が"１１"以外の値であるときには、図８のステップ１０１に進み、前述した図８のフローチャートに従った再生処理を行う（ステップ２０６）。この場合は、Ｂ（ｘ）が存在するので、再生を不可とすることができる。
【００７２】
ここで、プリレコーデッドテープ（オリジナルソース）の再生ディジタル信号を例えば、エンコーダ付きＤ−ＶＨＳ方式の記録装置などによりアナログ信号に変換してから、ディジタル信号として磁気テープに記録する場合（カジュアルコピーする場合）、通常はマクロビジョン信号、映像信号の垂直ブランキング期間にＣＧＭＳビットを挿入したＣ−ＧＭＳＡやウォータマークなどで記録制限されるのが通常であるが、マクロビジョン信号やＣ−ＧＭＳＡを除去すれば記録可能となる。
【００７３】
そして、その記録媒体を再生した場合は、第２の著作権保護情報Ｂ（ｘ）が存在しなくなり、オリジナルソースフラグＯＦが"０"として記録されるので（通常のＤ−ＶＨＳ方式のＶＴＲでは、前述したように、ＯＦはコピーできず、コピーしたディジタル信号記録テープを再生すると、ＯＦは必ず"０"で出力される）、タイトルキーを復元できない。従って、暗号解読ができず、再生信号の復号ができないし、仮に、著作権保護情報Ｂ（ｘ）及びＡ（ｘ）が解読されたとしても、ステップ２０３からステップ２０５に進み、再生不可とすることができる。
【００７４】
なお、組織的パイラシーによる不正コピーでは、オリジナルソースフラグＯＦを"１"にして記録することが可能であったとしても、キー生成回路６６は、正規のユーザが使用する再生装置でない限り、記録側と同一のマスタキーを記憶しておらず、また、アナログ信号に変換してから、ユーザが通常のＤ−ＶＨＳ方式のＶＴＲを使用してディジタル信号として磁気テープに記録し、それを再生した場合は、著作権保護情報Ｂ（ｘ）及びＡ（ｘ）が存在しないので、タイトルキーを復元できないため、暗号解読回路６４により暗号化されている再生信号を復号（デスクランブル）することができない。従って、ウォータマークも正常にデコードすることができず、この再生装置で再生することができない。
【００７５】
なお、この情報再生装置の第１例によれば、プリレコーデッド媒体（オリジナルソース）に記録されているディジタル信号を、アナログ信号に変換せずに、直接にディジタル信号形態で別の記録媒体に不正コピーした場合でも、上記と同様にオリジナルソースフラグＯＦが"０"として記録されるので、不正コピーした記録媒体の再生信号の再生を禁止でき、仮にＯＦを"１"として記録するように改造したとしても、また、著作権保護情報Ｂ（ｘ）及びＡ（ｘ）が解読されたとしても、正規のユーザが使用する再生装置でない限り、記録側と同一のマスタキーを記憶しておらず、暗号を解読できず、また、ＷＭ中のＣＧＭＳビットを"１１"に設定しておくことにより、再生できないようにすることができるので、結果として不正なコピー記録を防止することができる。
【００７６】
ところで、以上の本発明の関連技術では、Ｄ−ＶＨＳ（登録商標）方式のＶＴＲに適用した例について説明したが、ディジタル放送やデータ伝送などに適用することもできる。図１２は本発明になる情報再生装置の第１の実施の形態のブロック図を示す。同図中、この再生装置に入力される信号は、例えばＩＥＥＥ１３９４を使用したＤＴＬＡ方式による信号である。なお、図１２はディジタル放送受信部を備えたテレビジョン受像機の一部を構成していてもよい。
【００７７】
このＤＴＬＡ方式は、著作権保護情報と共に映像・音声の圧縮情報を伝送する方式の一つで、著作権保護情報としてＥＭＩと呼ぶ２ビットの情報を、ＭＰＥＧ方式の圧縮符号化データと共に伝送する。ここで、ＥＭＩは図１４に示すように、２ビットの値が"００"であれば、コピー記録を許容し、"０１"であれば既に１回コピー記録が行われたので、それ以上のコピー記録を禁止し（いわゆるノーモアコピー）、"１０"であれば、１回だけのコピーを許容し、"１１"であれば、コピーを禁止するように、記録装置を構成させる著作権保護情報であり、値が"１０"であるときは値が"０１"に変更されて記録される。
【００７８】
図１２において、入力されたＩＥＥＥ１３９４を使用したＤＴＬＡ方式による信号は、ＩＥＥＥ１３９４レシーバ８１により受信及び復調され、復調信号はＭＰＥＧデコーダ８３に供給されてＭＰＥＧ方式に準拠した復号が行われる一方、復調信号の一部はＥＭＩ検出回路８２に供給されて前記ＥＭＩが検出される。ＭＰＥＧデコーダ８３で復号されたデータは、出力判定回路８５に供給されると共にウォータマーク検出回路８４に供給されてウォータマーク（ＷＭ）が検出される。
【００７９】
出力判定回路８５は上記のＥＭＩ検出回路８２及びウォータマーク検出回路８４の各検出結果を受け、図１３のフローチャートに従って、ＭＰＥＧデコーダ８３から出力された復号データを再生可とするか再生不可とするかの判定を行う。すなわち、出力判定回路８５は、ウォータマーク検出回路８４からウォータマーク検出結果を受けたかどうか判定し（ステップ３０１）、ウォータマーク検出結果が入力された場合は、検出されたＷＭ内の記録制限情報であるＣＧＭＳの値が"１１"かどうか判定する（ステップ３０２）。
【００８０】
ステップ３０２でＷＭ内のＣＧＭＳの値が"１１"であると判定した場合は、ＥＭＩの値が"１１"であるかどうか判定する（ステップ３０３）。コピー禁止であるオリジナルソースでは、ＥＭＩの値が"１１"であり、このときＷＭ内のＣＧＭＳは必ず"１１"とされている。従って、ステップ３０２でＷＭ内のＣＧＭＳの値が"１１"であり、かつ、ステップ３０３でＥＭＩの値が"１１"であると判定されたときには、コピー禁止であるオリジナルソースであり、それが正規に再生されたものであると判断でき、よって、この場合は出力判定回路８５は再生可及びデコード可と判定して、ＭＰＥＧデコーダ８３から入力された復号データをＤ／Ａ変換器８６へ出力させる（ステップ３０４）。Ｄ／Ａ変換器８６により復号データがアナログ映像信号に変換されて出力され、画面に表示される。
【００８１】
一方、出力判定回路８５は、ステップ３０３でＥＭＩの値が"１１"でないと判定したときには、ＷＭ内のＣＧＭＳの値が"１１"であるにもかかわらず、ＥＭＩの値が"１１"でないので、ＥＭＩの値を例えば"１１"からそれ以外の値に変更して不正コピーしたソースからの復号データであるとみなし、再生不可及びデコード不可と判定して、ＭＰＥＧデコーダ８３から入力された復号データのＤ／Ａ変換器８６への出力を禁止する（ステップ３０５）。
【００８２】
また、出力判定回路８５はステップ３０２でＷＭ内のＣＧＭＳの値が"１１"でないと判定したときには、そのＷＭ内のＣＧＭＳの値が"１０"かどうか判定し（ステップ３０６）、"１０"であれば、ＥＭＩの値が"００"かどうか判定する（ステップ３０７）。
【００８３】
出力判定回路８５は、ステップ３０７でＥＭＩの値が"００"であると判定したときには、ＷＭ内のＣＧＭＳの値が"１０"であるにもかかわらず、ＥＭＩの値が"１０"又は"００"でないので、ＥＭＩの値を例えば"１０"から"００"に変更して不正コピーしたソースからの復号データであるとみなし、再生不可及びデコード不可と判定して、ＭＰＥＧデコーダ８３から入力された復号データのＤ／Ａ変換器８６への出力を禁止する（ステップ３０８）。なお、ステップ３０５及び３０８の再生不可、デコード不可処理を行うときには、入力されたソースが不正コピーによるものである旨の表示も行う。
【００８４】
また、出力判定回路８５はステップ３０７でＥＭＩの値が"００"でないと判定したときには、入力されたソースが不正コピーによるものでないと判断し、再生可及びデコード可と判定して、ＭＰＥＧデコーダ８３から入力された復号データをＤ／Ａ変換器８６へ出力させる（ステップ３０４）。
【００８５】
なお、出力判定回路８５は、ステップ３０１でウォータマークを検出した旨の検出結果が入力されないと判定したとき、ステップ３０６でＷＭ内のＣＧＭＳの値が"１０"でない（すなわち、ＣＧＭＳが"００"又は"０１"である）と判定したときには、入力ソースがコピーフリー又は１回のみコピー禁止である正規のソースであると判断し、再生可及びデコード可と判定して、ＭＰＥＧデコーダ８３から入力された復号データをＤ／Ａ変換器８６へ出力させる（ステップ３０９）。
【００８６】
このように、この実施の形態では、ＩＥＥＥ１３９４形式の入力信号に対しても、入力データ中に埋め込まれているＷＭ内のＣＧＭＳと、ＥＭＩの両方の値が適切な関係にあるときにのみ、再生・デコード可か不可かの判定を行うようにしているため、不正コピーに対して、より有効な著作権保護を図ることができる。
【００８７】
なお、本発明の関連技術は以上の例に限定されるものではなく、例えば第２の著作権保護情報Ｂ（ｘ）及び第３の著作権保護情報Ａ（ｘ）の一方をサブコード領域に記録し、他方をＭＰＥＧのトランスポートストリーム（ＴＳ）のデータに挿入されているウォータマーク（ＷＭ）のＣＧＭＳ以外のビットを記録制限情報に割り当てて記録してもよい。また、第２、第３の著作権保護情報を使用して、映像情報にスクランブルをかけることもできることはいうまでもない。また、第２の著作権保護情報Ｂ（ｘ）及び第３の著作権保護情報Ａ（ｘ）は互いに相補的な値でなくてもよく、要は特定な既知の関係にある値であればよい。
【００８８】
また、図７及び図９に示した第２及び第３例では、キー暗号化回路２０によりタイトルキーをマスタキーで暗号化することでタイトルキーを生成する情報を得ているが、本発明の関連技術はこれに限定されるものではなく、例えば、ハード側のメモリに多くのキーを格納しており、そのアドレス情報を第２、第３の著作権保護情報として伝送してもよいし、タイトルキーに或る関数を掛け算して桁数をタイトルキーよりも大にしてタイトルキーを生成する情報を得てもよい。また、ＩＣカードやスマートカードのような外部記憶装置にキーを入れてそれにアクセスするための情報を第２、第３の著作権保護情報として伝送してもよい。更に、音声信号に対しても適用可能である。
【図面の簡単な説明】
【００８９】
【図１】本発明の関連技術に適用される記録装置の第１例のブロック図である。
【図２】本発明の関連技術に適用される記録装置により記録されるトラックフォーマットの一例を示す図である。
【図３】図２中のメインコード領域のデータブロックのフォーマットの一例を示す図である。
【図４】図２中のサブコ−ド領域のデータブロックのフォーマットの一例を示す図である。
【図５】図３中のメインヘッダ領域の記録情報の詳細を示す図である。
【図６】図３中のデータ予備領域の記録情報の説明図である。
【図７】本発明の関連技術に適用される記録装置の第２例のブロック図である。
【図８】本発明の関連技術に適用される再生方法の第１例の動作説明用フローチャートである。
【図９】本発明の関連技術に適用される記録装置の第３例のブロック図である。
【図１０】本発明の関連技術に適用される再生装置の第１例のブロック図である。
【図１１】図１０中の再生制御回路の動作説明用フローチャートである。
【図１２】本発明情報再生装置の第１の実施の形態のブロック図である。
【図１３】図１２中の出力判定回路の動作説明用フローチャートである。
【図１４】ＥＭＩのコードと内容の説明図である。
【図１５】ＣＧＭＳのコードと内容の説明図である。
【符号の説明】
【００９０】
１０  トランスポート入力端子
１１  メインヘッダ発生器（第１の発生器）
１２  パーソナルコンピュータ
１３、１８  パック情報発生器（第２の発生器）
１４  エンコーダ
１６  記録機構
１７  媒体認証信号付加回路
１９  暗号化回路
２０  キー暗号化回路
２３  サブコード領域
２７  メインコード格納領域
３１  メインヘッダ格納領域
３２  データ予備領域
５３  ウォータマーク付加回路
５４  ＭＰＥＧエンコーダ
５５  暗号化回路
５６  パック情報発生器
６１  再生機構
６４  暗号解読回路
６５  パック情報デコーダ
６６  キー生成回路
６７  ＯＦ検出回路
６８、８３  ＭＰＥＧデコーダ
６９、８４  ウォータマーク検出回路
７０  再生制御回路
８１  ＩＥＥＥ１３９４レシーバ
８２  ＥＭＩ検出回路
８５  出力判定回路
【図１】
2006087096.tif 000003
【図２】
2006087096.tif 000004
【図３】
2006087096.tif 000005
【図４】
2006087096.tif 000006
【図５】
2006087096.tif 000007
【図６】
2006087096.tif 000008
【図７】
2006087096.tif 000009
【図８】
2006087096.tif 000010
【図９】
2006087096.tif 000011
【図１０】
2006087096.tif 000012
【図１１】
2006087096.tif 000013
【図１２】
2006087096.tif 000014
【図１３】
2006087096.tif 000015
【図１４】
2006087096.tif 000016
【図１５】
2006087096.tif 000017